(57)【要約】      （修正有）【課題】履口の不快な喰い込み感を感じることなく、足にピッタリとフィットしてずれが発生することのないようにした靴下を提供する。【解決手段】シングルシリンダの丸編み機を用いて編成され、爪先部１４、足甲部１２、底部１３及び踵部１５はパイル編み組織又は平編み組織となっている一方、レッグ部１１及び履口部１０はレッグ部の下端から履口部の上端に向けて度目を連続的又は段階的に増加させた脚レッグ部分の形状に実質的に一致する形状のシンカー乗せ編み組織となっている。【選択図】図１
0003158628.tif 000002
【実用新案登録請求の範囲】
【請求項１】
編み糸とカバーリングヤーンとでもって爪先部、足甲部、底部、踵部、レッグ部及び履口部を略く字状に編成してなる靴下において、
シングルシリンダの丸編み機を用いて編成され、上記爪先部（１４）、足甲部（１２）、底部（１３）及び踵部（１５）はパイル編み組織又は平編み組織となっている一方、上記レッグ部（１１）及び履口部（１０）はレッグ部（１１）の下端から履口部（１０）の上端に向けて度目を連続的又は段階的に増加させた脚レッグ部分（Ｌ）の形状に実質的に一致する形状のシンカー乗せ編み組織となっていることを特徴とする靴下。
【考案の詳細な説明】
【技術分野】
【０００１】
この考案は靴下に関し、特に履口の喰い込みによる苦痛を感じることなく快適に履くことのできるようにした靴下に関する。
【背景技術】
【０００２】
通常、靴下では平編み、メッシュ編み、パイル編み、あぜ編み又はこれらの組合せによって編成し、締付力を付与することが行われているが、一般的には図３に示されるように、レッグ部３１、足甲部３２、底部３３、爪先部３４及び踵部３５についてはその裏糸のカバーリングヤーン、例えばナイロン巻ポリウレタンの適度な伸縮弾性により、靴下を履いた人の脚や足にフィットさせる一方、履口部３０については更にゴム糸を編み込み、ゴム糸の大きな伸縮弾性によって靴下のずり落ちを防止するようにしている。
【０００３】
しかし、靴下のずれを確実に防止しようとすると、履口部３０の伸縮弾性を大きくする必要があり、靴下の履口が皮膚に喰い込むほど強く締め付けられて苦痛を感じることがあった。
【０００４】
これに対し、靴下の足首部分にのみゴム糸やカバーリングヤーンの弾性糸を編み込み、足首部分の上方のレッグ部や履口部には弾性糸を編み込まず、足首部分で締付け、レッグ部及び履口部をフリーな状態とし、レッグ部及び履口部の生地特性によってずれ落ちを防止するようにした靴下が提案されている（特許文献１）。
【０００５】
しかし、上記従来の靴下ではレッグ部及び履口部に適度な締付け感がないので、履いた時に違和感を感じて履き難かった。
【０００６】
また、本件考案者は、レッグ部及び履口部をレッグ部の下端から履口部の上端に向けて度目を連続的又は段階的に増加させて脚レッグ部分の形状に実質的に一致する形状にあぜ編みによって編成するようにした靴下を提案している（特許文献２）。
【０００７】
この靴下はあぜ編みによって適度な伸び特性と適度の締付力とが得られ、しかもレッグ部と履口部を脚レッグ部分の形状にほぼ一致した形状としているので、適度な伸びと締付力とによって脚のレッグ部分の全体をふんわりと包み込むことができるとともに、締付力が脚レッグ部分の全体に均等に作用するので、靴下が脚レッグ部分にしっかりと抱きついて保持され、ずれ落ちることがないというものであった。
【先行技術文献】
【特許文献】
【０００８】
【特許文献１】実公平０６−１９５２１号公報
【特許文献２】特開２００２−３０２８０２号公報
【考案の開示】
【考案が解決しようとする課題】
【０００９】
ところで、本件考案者らは特許文献２記載の靴下について詳細に検討したところ、あぜ編みよりもシンカー乗せ編みの方が伸び特性と締付力に優れていることを知見するに至った。しかし、特許文献２記載の靴下はダブルシリンダの丸編み機を用いて編成していたので、シンカー乗せ編みを採用することができなかった。
【００１０】
本件考案はかかる点に鑑み、レッグ部及び履口部を伸び特性と締付力に優れたシンカー乗せ編みによって編成するようにした靴下を提供することを課題とする。
【課題を解決するための手段】
【００１１】
そこで、本考案に係る靴下は、編み糸とカバーリングヤーンとでもって爪先部、足甲部、底部、踵部、レッグ部及び履口部を略く字状に編成してなる靴下において、シングルシリンダの丸編み機を用いて編成され、上記爪先部、足甲部、底部及び踵部はパイル編み組織又は平編み組織となっている一方、上記レッグ部及び履口部はレッグ部の下端から履口部の上端に向けて度目を連続的又は段階的に増加させた脚レッグ部分の形状に実質的に一致する形状のシンカー乗せ編み組織となっていることを特徴とする。
【００１２】
本考案の特徴の１つはシングルシリンダの丸編み機を用いて靴下を編成するようにした点にある。これにより、レッグ部及び履口部を伸び特性と締付性に優れたシンカー乗せ編みに編成することができる。
【００１３】
また、本考案の他の特徴はレッグ部及び履口部の度目をレッグ部下端から履口部上端に向けて度目を連続的又は段階的に増加させて脚のレッグ部分の形状に実質的に一致するラッパ形状に構成した点にある。
【００１４】
これにより、シンカー乗せ編みによって最適な伸び特性と最適な締付力とが得られ、しかもレッグ部と履口部は脚レッグ部分の形状にほぼ一致した形状となっているので、最適な伸びと締付力とによって脚のレッグ部分の全体をふんわりと快適に包み込むことができるとともに、締付力が脚レッグ部分の全体に均等に作用するので、靴下が脚レッグ部分にしっかりと抱きついて確実に保持され、ずれ落ちることがない。
【００１５】
その結果、従来のように履口が皮膚に喰い込むといったことはなく、しかも最適な締付感があるので、違和感なく履くことができ、履き心地は特許文献２記載の靴下に比して大幅に改善されていた。
【００１６】
また、従来の靴下のように履口部にゴム糸を編み込んでおらず、シンカー編みによる最適な伸び特性により、小さな力でレッグ部及び履口部の全体が大きく伸びるので、手足の筋力が弱った老人や病人にも容易に履くことができ、又脱ぐ時にも靴下を簡単に脱ぐことができる。
【００１７】
ここで、シンカー乗せ編みを説明すると、図２の（ａ）に示されるように、パイル編みにおける裏糸４１を表糸４０と同様にシンカー５０の頭５１に乗せるか又は１本ないし６本の表糸をシンカーの頭部に乗せて編む方法であって、この場合には両糸４０、４１とも表糸となり、ゴム糸４４が裏糸の代わりをすることとなる。図２の（ｃ）は３／１のシンカー乗せ編みの例である。
【００１８】
他方、パイル編みを説明すると、表糸４０はシンカー５０の頭５１に乗せ、裏糸４１は乗せずに編む。従って、パイルの高さは図２の（ａ）における高さｔによって決まる。
【００１９】
従って、シンカー乗せ編みでは伸縮弾性が小さく、伸びがパイル編みに比して２倍ないし３倍と大きく、締付けが小さくなる。
【００２０】
足甲部、爪先部、底部及び踵部については編み方は特に限定されず、平編みやパイル編みあるいはこれらの組合せで編成することができる。
【００２１】
また、編み糸の材質については特に限定されず、綿糸、綿アクリル混紡糸、毛糸、毛アクリル混紡糸、絹糸、絹アクリル混紡糸等、靴下に採用される編み糸を用いることができる。
【００２２】
本考案はレッグ部の短いソックス、レッグ部の長いハイソックスのいずれにも適用できる。
【図面の簡単な説明】
【００２３】
【図１】本考案に係る靴下の好ましい実施形態を示す図である。
【図２】上記実施形態におけるシンカー乗せ編みを説明するための図である。
【図３】一般的な靴下を説明するための図である。
【考案を実施するための形態】
【００２４】
以下、本考案を図面に示す具体例に基づいて詳細に説明する。図１は本考案に係る靴下の好ましい実施形態を示す。靴下は履口部１０、レッグ部１１、足甲部１２、底部１３、踵部１５及び爪先部１４から構成されている。
【００２５】
履口部１０及びレッグ部１１は表糸して４８番手の２本のウール糸を撚り合わせたウール糸を２本、裏糸として４０デニールのポリウレタンを芯として７５デニールのポリエステルをカバーリングしたカバーリングヤーンを用い、１／１のシンカー乗せ編みにて編成されている。
【００２６】
また、履口部１０及びレッグ部１１はレッグ部１１下端から履口部１０上端に向けて度目が連続的（又は段階的）に増加され、これにより脚レッグ部分の形状に実質的に一致するラッパ形状となっている。
【００２７】
また、足甲部１２、底部１３、爪先部１４及び踵部３５は同じ表糸及び裏糸を用い、パイル編み（平編みであってもよい）にて編成されている。
【００２８】
以上のような本例の靴下では靴下のレッグ部１１及び履口部１０をシンカー乗せ編みとし、しかも脚レッグ部分Ｌの形状とほぼ合致するラッパ形状としたので、シンカー乗せ編みの最適な伸びと最適な締付力とによって脚レッグ部分Ｌの全体をふんわりと包み込み、しかも締付力が脚レッグ部分Ｌの全体に均等に作用し、靴下のレッグ部１１及び履口部１０が脚レッグ部分Ｌに抱きついて保持され、靴下がずり落ちるのを確実に防止できる。
【００２９】
その結果、履口部１０にゴム糸を編み込んで履口部１０の締付力を大きくする必要はなくなり、靴下履口部１０の不快な喰い込み感を確実に解消できる。
【００３０】
また、履口部１０にゴム糸を編み込んでおらず、しかもシンカー乗せ編みの最適な伸び特性により小さな力で靴下の履口部１０及びレッグ部１１の全体が大きく伸びるので、手足の筋力が弱った老人や病人にも容易に履くことができ、又脱ぐ時にも靴下を簡単に脱ぐことができる。
【符号の説明】
【００３１】
１０      履口部                １１      レッグ部
１２      足甲部                １３      底部
１４      爪先部                １５      踵部
Ｌ        脚レッグ部分
【図１】
0003158628.tif 000003
【図２】
0003158628.tif 000004
【図３】
0003158628.tif 000005